(57)【要約】【課題】誤装着時のレバー回転を確実に防止する。【解決手段】レバー式コネクタ１００において、電線が一方２５ａ又は他方２５ｂに取り出されるコネクタハウジング１１と、電線の取り出し開口４７が一方又は他方となる二方向の向きでコネクタハウジング１１に選択的に装着されるワイヤカバー１３と、コネクタハウジング１１の両側部に突設される軸３９と、軸３９を挿入する受け穴５７をそれぞれに有した一対の平行板とこの平行板を連結する把持部５３とからなり二方向の回転操作向きでコネクタハウジング１１に選択的に装着されるレバー１５と、ワイヤカバー１３に突設されワイヤカバー１３の取り付け向きに対して逆向きでコネクタハウジング１１に誤装着したレバー１５の回転操作で平行板が当たる検知突起６１と、軸３９と受け穴５７に亘って設けられ検知突起６１に乗り上げる平行板の変位でレバー１５の回転を阻止する回転阻止手段６３と、を設けた。【選択図】図１
2011070842.tif 000002
【特許請求の範囲】
【請求項１】
嵌合方向前面に嵌合開口部を有し後面から導出される電線が嵌合方向に直交する直線方向の一方又は他方に取り出されるコネクタハウジングと、
電線の取り出し開口が前記一方又は他方となる二方向の向きで前記コネクタハウジングに選択的に装着されるワイヤカバーと、
前記コネクタハウジングの両側部に突設され前記嵌合方向に直交し且つ前記直線方向に直交する軸と、
該軸を挿入する受け穴をそれぞれに有した一対の平行板と該一対の平行板を連結する把持部とからなり操作方向が時計回り又は反時計回りとなる二方向の向きで前記コネクタハウジングに選択的に装着されるレバーと、
前記ワイヤカバーに突設され前記ワイヤカバーの取り付け向きに対して逆向きで前記コネクタハウジングに誤装着した前記レバーの前記平行板が当たる検知突起と、
前記軸と前記受け穴に亘って設けられ前記検知突起に乗り上げる前記平行板の変位で前記レバーの回転を阻止する回転阻止手段と、
を具備したことを特徴とするレバー式コネクタ。
【請求項２】
請求項１記載のレバー式コネクタであって、
前記回転阻止手段は、
前記軸に、半径方向外側に突出して形成されたキーと、
前記平行板の内面に形成され前記受け穴から半径方向外側に切り欠いて該キーを嵌入するキー溝と、
前記平行板の外面に前記受け穴と共に形成され前記キーに対し前記平行板の相対的な回転を許容するキー収容凹部と、
からなることを特徴とするレバー式コネクタ。
【請求項３】
請求項１又は請求項２記載のレバー式コネクタであって、
前記回転阻止手段が、前記一対の軸及び前記一対の平行板のそれぞれに設けられたことを特徴とするレバー式コネクタ。
【発明の詳細な説明】
【技術分野】
【０００１】
本発明は、レバー式コネクタに関する。
【背景技術】
【０００２】
コネクタ同士の嵌合力を低減させるレバー式コネクタが知られている（例えば特許文献１参照）。図１２に示すように、このレバー式コネクタ５００は、ハウジング５０１と、ハウジング５０１に取り付けられたワイヤカバー５０３と、ハウジング５０１に対して初期位置と最終位置との間を回動可能に取り付けられたレバー５０５とを具備している。ハウジング５０１は、両側壁に１対のレール部５０７が設けられている。各レール部５０７の側壁面には、左右方向において所定間隔離れた位置に図１３に示す第１及び第２ロック用凹部５０９ａ，５０９ｂが設けられている。レール部５０７の下方には、レバー５０５を軸支するための１対の支軸５１１が設けられている。
【０００３】
ワイヤカバー５０３は、図１２に示す初期位置においてレバー５０５がハウジング５０１の右側に倒れる向きで装着されているときに、電線引出口５１３を先頭にしてハウジング５０１の右側から左側に向けて矢印Ａ方向にスライドされる。つまり、レバー５０５は先付けされている。このとき、ワイヤカバー５０３の図１４に示す摺動爪５１５がハウジング５０１のレール部５０７に嵌め込まれて右側から左側に向けてスライドされる。そして、摺動爪５１５に設けられた図１４に示すロック突起５１７がハウジング５０１に設けられた第１ロック用凹部５０９ａに入り込むことにより、ワイヤカバー５０３はハウジング５０１にロックされる。
【０００４】
レバー５０５は初期位置においてハウジング５０１の右側に倒れる向き及びハウジング５０１の左側に倒れる向きの双方で装着可能となっている。ワイヤカバー５０３は、レバー５０５がハウジング５０１の右側に倒れる向きで装着されているとき、電線引出口５１３を先頭にしてハウジング５０１の右側から左側に向けてスライドさせてハウジング５０１にロック可能となる。一方、レバー５０５がハウジング５０１の左側に倒れる向きで装着されているとき、ワイヤカバー５０３は、電線引出口５１３を先頭にしてハウジングの左側から右側に向けてスライドさせてハウジング５０１にロック可能となる。
【０００５】
ここで、図１２に示すようにレバー５０５がハウジング５０１の右側に倒れる向きで装着されているときにおいて、図１５に示すようにワイヤカバー５０３を電線引出口５１３を先頭にしてハウジング５０１の左側から右側に向けて矢印Ｅ方向にスライドさせたりする誤装着が考えられる。この場合において、図１４に示す摺動爪５１５に設けられたロック突起５１７が図１３に示す第２ロック用凹部５０９ｂに入り込んでロックされてしまうと、ワイヤカバー５０３の装着向きが本来意図した向きと反対になってしまい、電線の引出方向が本来の意図と反対になってしまうという問題がある。
【０００６】
この問題を回避するため、レバー式コネクタ５００においては、ロック防止手段５１９が設けられている。ロック防止手段５１９は、レバー５０５の１対の脚部５２１のそれぞれに設けられた１対の第１突起５２３と、ワイヤカバー５０３に設けられた１対の第１突起５２３に当接する１対の第２突起５２５とにより構成されている。
【０００７】
図１５に示すように例えばワイヤカバー５０３を電線引出口５１３を先頭にしてハウジング５０１の左側から右側に向けて矢印Ｅ方向にスライドさせた場合、第１突起５２３に第２突起５２５が当接することにより、摺動爪５１５に設けられたロック突起５１７が第２ロック用凹部５０９ｂに入り込んでロックされてしまうのを防止できる。
【０００８】
このように、レバー式コネクタ５００では、ロック防止手段５１９をレバー５０５及びワイヤカバー５０３に設けることにより、ワイヤカバー５０３を逆向きにしてハウジング５０１に誤装着した場合、ロック突起５１７が第２ロック用凹部５０９ｂに入り込んでしまったり、或いはロック突起５１７が第１ロック用凹部５０９ａに入り込んでしまったりしてワイヤカバー５０３が装着向きの誤った状態でハウジング５０１にロックされてしまうことを回避できるように構成されている。
【先行技術文献】
【特許文献】
【０００９】
【特許文献１】特開２００６−３４４５１９号公報
【発明の概要】
【発明が解決しようとする課題】
【００１０】
しかしながら、上記従来のレバー式コネクタ５００は、ワイヤカバー５０３が先付された場合、誤装着であってもレバー５０５が回転操作可能となってしまう。また、図１５に示す逆向きのワイヤカバー５０３が装着方向（Ｅ方向）に強くスライドされると、レバー５０５の一対の脚部５２１，５２１が開き、第１突起５２３が第２突起５２５に乗り上げ、ワイヤカバー５０３がスライド可能となり、この場合においても誤装着でレバー５０５が回転操作可能となった。
【００１１】
本発明は上記状況に鑑みてなされたもので、その目的は、誤装着時のレバー回転を確実に防止できるレバー式コネクタを提供することにある。
【課題を解決するための手段】
【００１２】
本発明に係る上記目的は、下記構成により達成される。
（１）  嵌合方向前面に嵌合開口部を有し後面から導出される電線が嵌合方向に直交する直線方向の一方又は他方に取り出されるコネクタハウジングと、
電線の取り出し開口が前記一方又は他方となる二方向の向きで前記コネクタハウジングに選択的に装着されるワイヤカバーと、
前記コネクタハウジングの両側部に突設され前記嵌合方向に直交し且つ前記直線方向に直交する軸と、
該軸を挿入する受け穴をそれぞれに有した一対の平行板と該一対の平行板を連結する把持部とからなり操作方向が時計回り又は反時計回りとなる二方向の向きで前記コネクタハウジングに選択的に装着されるレバーと、
前記ワイヤカバーに突設され前記ワイヤカバーの取り付け向きに対して逆向きで前記コネクタハウジングに誤装着した前記レバーの前記平行板が当たる検知突起と、
前記軸と前記受け穴に亘って設けられ前記検知突起に乗り上げる前記平行板の変位で前記レバーの回転を阻止する回転阻止手段と、
を具備したことを特徴とするレバー式コネクタ。
【００１３】
このレバー式コネクタによれば、レバーが間違った向きで取り付けられると、レバーの装着時にワイヤカバーに設けられた検知突起にレバーの平行板が当たって乗り上げ、回転阻止手段によってレバーの回転が阻止される。
【００１４】
（２）  （１）のレバー式コネクタであって、
前記回転阻止手段は、
前記軸に、半径方向外側に突出して形成されたキーと、
前記平行板の内面に形成され前記受け穴から半径方向外側に切り欠いて該キーを嵌入するキー溝と、
前記平行板の外面に前記受け穴と共に形成され前記キーに対し前記平行板の相対的な回転を許容するキー収容凹部と、
からなることを特徴とするレバー式コネクタ。
【００１５】
このレバー式コネクタによれば、平行板が検知突起に乗り上げると、平行板がコネクタハウジングの両側部から離れ、軸の先端側に平行板が移動（変位）する。軸の先端側に平行板が変位すると、キー収容凹部に配置されて平行板の回転を可能とするキーが平行板に対して相対的に引き込まれキー溝に配置される。軸先端のキーが平行板のキー溝に嵌入することで、軸に対する平行板の回転が阻止される。
【００１６】
（３）  （１）又は（２）のレバー式コネクタであって、
前記回転阻止手段が、前記一対の軸及び前記一対の平行板のそれぞれに設けられたことを特徴とするレバー式コネクタ。
【００１７】
このレバー式コネクタによれば、回転阻止手段が、コネクタハウジングの両側と一対の平行板に亘りコネクタハウジングの両側に設けられることで、誤装着時におけるレバーの回転阻止強度を大きくし、誤装着時におけるレバーの回転をより確実に防止できる。
【発明の効果】
【００１８】
本発明に係るレバー式コネクタによれば、間違ってレバーを逆向きに組み付けると、レバーの平行板が検知突起に乗り上げる。平行板が検知突起に乗り上がって外側へ変位すると、軸と受け穴に亘って設けられた回転阻止手段によりレバーの回転が阻止され、誤装着時のレバー回転を確実に防止できる。
【図面の簡単な説明】
【００１９】
【図１】本発明に係るレバー式コネクタの分解斜視図である。
【図２】図１に示したコネクタハウジングの側面図である。
【図３】図１に示したワイヤカバーの斜視図である。
【図４】図１に示したレバーの斜視図である。
【図５】平行板を外面から見たレバーの側面図である。
【図６】（ａ）はコネクタハウジングとワイヤカバーの分解斜視図、（ｂ）はコネクタハウジングとワイヤカバーの組立斜視図である。
【図７】レバー組み付け状態の側面図である。
【図８】（ａ）は図７のＡ部拡大図、（ｂ）は図７のＢ−Ｂ断面図、（ｃ）は図８（ｂ）のＣ部拡大図である。
【図９】（ａ）はレバーが左側正規向きで取り付けられたレバー式コネクタの側面図、（ｂ）はレバーが右側正規向きで取り付けられたレバー式コネクタの側面図である。
【図１０】レバーが逆組み付けされたレバー式コネクタの側面図である。
【図１１】（ａ）は図１０のＤ−Ｄ断面図、（ｂ）は図１１（ａ）のＥ部拡大図である。
【図１２】従来のレバー式コネクタの斜視図である。
【図１３】図１２に示したレバー式コネクタのワイヤカバーを外した斜視図である。
【図１４】図１２に示したワイヤカバーの斜視図である。
【図１５】ワイヤカバーが逆向きに装着される途中の従来のレバー式コネクタの斜視図である。
【発明を実施するための形態】
【００２０】
以下、本発明の実施の形態を図面を参照して説明する。
図１は本発明に係るレバー式コネクタの分解斜視図である。
レバー式コネクタ１００は、コネクタハウジング１１と、ワイヤカバー１３と、レバー１５と、を具備する。これらコネクタハウジング１１、ワイヤカバー１３、及びレバー１５は、それぞれが樹脂製（例えばＰＢＴ；ポリブチレンテレフタート等）の一体成形品からなる。本明細書中、コネクタハウジング１１は嵌合側を前、その反対側を後とする。コネクタハウジング１１は、略直方体形状であり、嵌合方向（矢印ａ方向）の前面に嵌合開口部１７が形成される。もっとも、レバー式コネクタ１００では、嵌合力を低減させるレバー１５の回転操作により、相手方コネクタ（図示せず）を嵌合開口部１７に引き込み嵌合する。したがって、嵌合方向ａは相手方コネクタに対してのコネクタハウジング１１の相対的な嵌合方向を示す。
【００２１】
嵌合開口部１７には複数の端子進入開口部１９が縦横に配設される。端子進入開口部１９は内部の端子収容室（図示せず）に連通して、それぞれの端子収容室には端子金具（図示せず）が収容される。端子金具の後端には電線２１（図９参照）が接続され、電線２１はコネクタハウジング１１の後面２３から導出される。後面２３から導出される電線２１は、コネクタ搭載車両の仕様に応じ嵌合方向ａに直交する直線２５に沿う方向の一方２５ａ又は他方２５ｂに屈曲して取り出される。
【００２２】
図２は図１に示したコネクタハウジングの側面図である。
図１，図２に示すように、コネクタハウジング１１の両側部１１ａ，１１ｂ（図１参照）にはワイヤカバー１３を係止するための傾斜突起状のワイヤカバー係止部２７，２７がそれぞれ一対ずつ設けられている。ワイヤカバー係止部２７は、ワイヤカバー１３の後述する傾斜突起状の係止突起２９に係止する。ワイヤカバー１３は、係止突起２９をワイヤカバー係止部２７に係止してコネクタハウジング１１の後面２３を覆うように装着される。図２に示すように、ワイヤカバー係止部２７，２７は、左右対称に配設される。
【００２３】
コネクタハウジング１１の他の一側面には、図１に示す一対の係止爪３１，３１が突設される。この係止爪３１，３１は、ワイヤカバー１３の装着時、ワイヤカバー１３の係止部３３，３３と係止する。また、コネクタハウジング１１の両側部１１ａ，１１ｂの左右端には仮係止突起３５，３５が形成され、仮係止突起３５，３５はレバー１５のレバー仮係止保持部３７，３７に係合する。レバー１５は、レバー仮係止保持部３７，３７が仮係止突起３５，３５に係合することで、図９に示す仮係止位置に保持される。
【００２４】
コネクタハウジング１１の両側部１１ａ，１１ｂには、嵌合方向ａに直交し且つ上記した直線２５の方向に直交する軸３９，３９が突設される。軸３９の先端には後述する回転阻止手段が設けられる。
【００２５】
図３は図１に示したワイヤカバーの斜視図である。
ワイヤカバー１３は、一対の平行な側板４１ａ，４１ｂの一端同士を斜壁板４３で連結し、二方向が開口した箱状に形成される。ワイヤカバー１３の一方の開口はコネクタハウジング１１の後面２３を覆う電線導入開口４５となり、他方の開口は電線２１の取り出し開口４７となる。側板４１ａ，４１ｂのそれぞれの電線２１の取り出し開口４７寄りの内側下端には上記した係止突起２９が突設される。また、斜壁板４３の内側下端には上記した係止部３３，３３が形成される。
【００２６】
コネクタハウジング１１に設けられた図２に示すワイヤカバー係止部２７，２７は、上記したように左右対称に配設され、ワイヤカバー１３の係止突起２９はそのいずれとも係合可能となっている。したがって、ワイヤカバー１３は、電線２１の取り出し開口４７が図１に示した直線２５の一方２５ａ又は他方２５ｂとなる二方向の向きでコネクタハウジング１１に選択的に装着可能となっている。
【００２７】
図４は図１に示したレバーの斜視図である。
レバー１５は、一対の略円板状の平行板５１ａ，５１ｂと、この平行板５１ａ，５１ｂの一端同士を連結する把持部５３とからなる。それぞれの平行板５１ａ，５１ｂと把持部５３の間は腕部５５となる。この腕部５５の一側部に、上記のレバー仮係止保持部３７が形成されている。
【００２８】
図５は平行板を外面から見たレバーの側面図である。
平行板５１ａ，５１ｂは、コネクタハウジング１１の軸３９を挿入する受け穴５７，５７をそれぞれに有する。レバー１５は、軸３９（図２参照）を中心とした回転操作方向が時計回り又は反時計回りとなる二方向の向きで、コネクタハウジング１１に選択的に装着されるようになっている。
【００２９】
ところで、ワイヤカバー１３は、上記のように、電線２１の取り出し開口４７が図１の一方２５ａ又は他方２５ｂとなる二方向の向きで選択的に装着可能となる。また、レバー１５も、把持部５３が図１の一方２５ａ又は他方２５ｂとなる二方向の向きで選択的に装着可能となる。但し、ワイヤカバー１３とレバー１５の相対位置関係は、レバー１５の把持部５３がワイヤカバー１３の電線２１の取り出し開口４７側とならないように装着が行われる。把持部５３が電線２１の取り出し開口４７側に取り付けられれば、誤装着となる（図１０のレバー誤装着状態参照）。
【００３０】
レバー式コネクタ１００は、この誤装着を防止する手段として、図１に示す検知突起６１と、回転阻止手段６３とを具備する。検知突起６１は、ワイヤカバー１３の平行板５１ａ，５１ｂに設けられる。検知突起６１は、図３に示すように、コネクタハウジング１１の前方を向いた垂直部６１ａと、後方側の傾斜部６１ｂとからなり、平行板５１ａ，５１ｂから突出する。検知突起６１は、ワイヤカバー１３の取り付け向きに対して、逆向きで誤装着したレバー１５の平行板５１ａ，５１ｂに当たる。一方、先付けされたレバー１５の取り付け向きに対して、逆向きでワイヤカバー１３を誤装着した場合には、検知突起６１がレバー１５の腕部５５に当たる（レバー１５の先付けについては後述する）。
【００３１】
検知突起６１は、レバー１５が装着時に当たることで、レバー１５の誤装着を検知する。レバー式コネクタ１００では、この検知に気づかずレバー１５が回転操作された場合であってもレバー１５の回転を阻止する回転阻止手段６３が設けられている。回転阻止手段６３は、軸３９と受け穴５７に亘って設けられ、検知突起６１に乗り上げる平行板５１ａ，５１ｂの変位でレバー１５の回転を阻止する。
【００３２】
回転阻止手段６３は、キー６５と、キー溝６７と、キー収容凹部６９と、からなる。キー６５は、軸３９の先端に、半径方向外側に突出して形成される角状凸部となる。軸３９は、基端側が円形、若しくは円形外径より突出しない断面形状であればよい。
【００３３】
キー溝６７は、平行板５１ａ，５１ｂの図４に示す内面７１に形成され、受け穴５７から半径方向外側に切り欠いて、キー６５を嵌入する切欠溝となる。このキー溝６７は、平行板５１ａ，５１ｂの内面７１から外面７３に貫通する。
【００３４】
キー収容凹部６９は、平行板５１ａ，５１ｂの外面７３に、受け穴５７と共に形成されている。キー収容凹部６９は、図５に示すように、キー６５に対し平行板５１ａ，５１ｂの相対的な回転を許容する扇状の凹部として形成されている。この扇状凹部となったキー収容凹部６９の底面に受け穴５７とキー溝６７は開口している。
【００３５】
レバー１５の軸３９への装着は、平行板５１ａ，５１ｂを弾性的に開脚させ、内面７１の受け穴５７に軸３９を挿入する。軸３９は、先端のキー６５を、受け穴５７に切り欠かれたキー溝６７に嵌入することで、受け穴５７への挿入が可能となる。受け穴５７及びキー溝６７に挿入されたキー６５及び軸３９は、平行板５１ａ，５１ｂの外面７３側でキー収容凹部６９内に突出する。
【００３６】
ワイヤカバー１３、レバー１５の正規の組み付け状態（図９に示す状態）では、レバー１５が回転すると、キー６５に対してキー溝６７が回転方向に移動する。この際、平行板５１ａ，５１ｂは、キー６５に対し、キー収容凹部６９の底面を摺接しながら回転する。キー溝６７は、キー６５に対し回転方向に離れて行くことになる。この際、キー６５は、キー収容凹部６９の底面に摺接することで、コネクタハウジング１１の両側部１１ａ，１１ｂから平行板５１ａ，５１ｂが浮き上がることを阻止する。
【００３７】
レバー式コネクタ１００は、相手方コネクタ（図示せず）が嵌合開口部１７に嵌合されるが、このときには、相手方コネクタに設けられたガイドピンが、レバー１５のガイド孔７５にはめ込まれる。レバー１５の回転操作に伴ってガイドピンが上方に引き上げられて、相手方コネクタがコネクタハウジング１１の嵌合開口部１７に嵌合される。
【００３８】
次に、上記の構成を有するレバー式コネクタ１００の作用を説明する。
図６（ａ）はコネクタハウジングとワイヤカバーの分解斜視図、（ｂ）はコネクタハウジングとワイヤカバーの組立斜視図である。
ここでは、コネクタハウジング１１に対して、ワイヤカバー１３が先付けされる場合を例に説明する。
【００３９】
レバー式コネクタ１００を組み立てるには、先ず、コネクタハウジング１１にワイヤカバー１３を装着する。ワイヤカバー１３は、コネクタハウジング１１の後面２３に被せ、図６（ａ）に示す係止突起２９を、ワイヤカバー係止部２７に係止して図６（ｂ）に示すように、組み付けを完了する。電線２１の取り出し開口４７は、同図の右側に開口されている。
【００４０】
図７はレバー組み付け状態の側面図、図８（ａ）は図７のＡ部拡大図、（ｂ）は図７のＢ−Ｂ断面図、（ｃ）は図８（ｂ）のＣ部拡大図である。
次いで、ワイヤカバー１３の装着されたコネクタハウジング１１にレバー１５を装着する。レバー１５は、正規の取付向きでは、図７に示すように、把持部５３が電線２１の取り出し開口４７の反対側に配置される。レバー１５は、図８（ｂ）に示すように、一対の平行板５１ａ，５１ｂでコネクタハウジング１１の両側部１１ａ，１１ｂを挟むようにし、受け穴５７に軸３９を挿入して取り付ける。この際、図８（ａ）に示すように、軸３９のキー６５をキー溝６７に一致する向きで、軸３９を受け穴５７に挿入する。
【００４１】
コネクタハウジング１１に正規の向きで取り付けられたレバー１５は、図８（ｃ）に示すように、キー６５がキー収容凹部６９に突出して配置される。次いで、レバー１５は、図７の矢印ｆ方向に回転操作され、腕部５５の背部に隠れる仮係止突起３５にレバー仮係止保持部３７を係止し、レバー１５を仮係止位置に保持する。レバー１５のｆ方向の回転は、図８（ａ）からも分かるように、キー６５に対しキー収容凹部６９が回転方向の反対側に回転許容空間を有していることで可能となる。
【００４２】
図９（ａ）はレバーが左側正規向きで取り付けられたレバー式コネクタの側面図、（ｂ）はレバーが右側正規向きで取り付けられたレバー式コネクタの側面図である。
本例のように、電線２１の取り出し開口４７が右側に向く正規の向きでワイヤカバー１３が取り付けられると、図９（ａ）に示すように、正規の向きのレバー１５は、把持部５３が取り出し開口４７の反対側となる左側に位置される。また、これとは逆に、電線２１の取り出し開口４７が左側に向く正規の向きでワイヤカバー１３が取り付けられると、図９（ｂ）に示すように、正規の向きのレバー１５は、把持部５３が取り出し開口４７の反対側となる右側に配置される。
【００４３】
図１０はレバーが逆組み付けされたレバー式コネクタの側面図である。
これに対し、レバー１５が逆向きに誤装着されると、電線２１の取り出し開口４７と同じ側に把持部５３が配置される。誤装着の場合においても、軸３９のキー６５をキー溝６７に一致する向きで、軸３９が受け穴５７に挿入される。この際、レバー１５は、平行板５１ａ，５１ｂを離間させ、ワイヤカバー１３を挟むようにして後方から装着される。すると、誤装着の場合、検知突起６１の傾斜部６１ｂ（図３参照）にレバー１５の平行板５１ａ，５１ｂ（正確には腕部５５）が当たり乗り上げることとなる。
【００４４】
図１１（ａ）は図１０のＤ−Ｄ断面図、（ｂ）は図１１（ａ）のＥ部拡大図である。
図１１（ａ）に示すように、腕部５５が検知突起６１に乗り上げると、平行板５１ａ，５１ｂがコネクタハウジング１１の両側部１１ａ，１１ｂから離れ、軸３９の先端側に平行板５１ａ，５１ｂが移動（変位）する。軸３９の先端側に平行板５１ａ，５１ｂが変位すると、図１１（ｂ）に示すように、本来、キー収容凹部６９に突出して平行板５１ａ，５１ｂを回転可能にしていたキー６５がキー溝６７に配置される。軸先端のキー６５が平行板５１ａ，５１ｂのキー溝６７に嵌入することで、軸３９に対する平行板５１ａ，５１ｂの回転が阻止されることとなる。
【００４５】
このように、レバー式コネクタ１００では、レバー１５が間違った向きで取り付けられると、レバー１５の装着時にワイヤカバー１３に設けられた検知突起６１にレバー１５の腕部５５が乗り上げ、回転阻止手段６３によってレバー１５の回転が阻止される。
【００４６】
回転阻止手段６３は、一対の軸３９及び一対の平行板５１ａ，５１ｂのそれぞれに設けられている。回転阻止手段６３が、コネクタハウジング１１の両側に設けられることで、誤装着時におけるレバー１５の回転阻止強度を大きくしている。これにより、誤装着時におけるレバー１５の回転をより確実に防止できるようになっている。
【００４７】
したがって、上記のレバー式コネクタ１００によれば、間違ってレバー１５を逆向きに組み付けると、レバー１５の平行板５１ａ，５１ｂが検知突起６１に乗り上げ、軸３９と受け穴５７に亘って設けた回転阻止手段６３によりレバー１５の回転を阻止し、誤装着時のレバー回転を確実に防止できる。
【００４８】
そして、レバー１５を逆向きに組み付けた場合には、レバー１５を仮係止させることができないので、早期での判断が可能となり、組み直しに時間がかからない。また、レバー１５を仮係止する前に組み直しができるので、軸３９やレバー１５を破損することもない。
【００４９】
なお、上記の実施の形態では、ワイヤカバー１３が先付けされる場合を例に説明したが、レバー式コネクタ１００は、レバー１５が先付けされても、レバー１５の誤装着を検知できる。すなわち、レバー１５が例えば図１０に示す向きで誤装着されると、キー６５がキー収容凹部６９内の左端に当接し、レバー１５は矢印ｇと反対回りの回転が阻止される。キー６５とキー溝６７、及び腕部５５と検知突起６１は、上記したワイヤカバー１３が先付けされている場合、この状態で腕部５５が検知突起６１に乗り上げる位置関係となっている。
【００５０】
したがって、レバー１５の誤装着されたコネクタハウジング１１にワイヤカバー１３が後付けされると、ワイヤカバー１３に設けられた検知突起６１の垂直部６１ａ（図３参照）が回転不能となったレバー１５の腕部５５に上方から当たる。腕部５５に当たったワイヤカバー１３は、上記した乗り上げ代分、コネクタハウジング１１への接近が阻止される。つまり、先に腕部５５が配置されているので、本来の装着位置に到達できない。ワイヤカバー１３は、係止突起２９をワイヤカバー係止部２７に係止できず、ワイヤカバー１３の装着が阻止される。これにより、レバー１５が誤装着であることが検知されることとなる。
【符号の説明】
【００５１】
１１  コネクタハウジング
１１ａ，１１ｂ  コネクタハウジングの両側部
１３  ワイヤカバー
１５  レバー
１７  嵌合開口部
２１  電線
２３  後面
２５  嵌合方向に直交する直線
２５ａ  一方
２５ｂ  他方
３９  軸
４７  電線の取り出し開口
５１ａ，５１ｂ  平行板
５３  把持部
５７  受け穴
６１  検知突起
６３  回転阻止手段
６５  キー
６７  キー溝
６９  キー収容凹部
７１  平行板の内面
７３  平行板の外面
１００  レバー式コネクタ
ａ  嵌合方向
【図１】
2011070842.tif 000003
【図２】
2011070842.tif 000004
【図３】
2011070842.tif 000005
【図４】
2011070842.tif 000006
【図５】
2011070842.tif 000007
【図６】
2011070842.tif 000008
【図７】
2011070842.tif 000009
【図８】
2011070842.tif 000010
【図９】
2011070842.tif 000011
【図１０】
2011070842.tif 000012
【図１１】
2011070842.tif 000013
【図１２】
2011070842.tif 000014
【図１３】
2011070842.tif 000015
【図１４】
2011070842.tif 000016
【図１５】
2011070842.tif 000017